(57)【要約】【課題】  照明による演出効果を高めることができる携帯用照明器具を提供する。【解決手段】  先端部に光源１２を有するロッド状の照明器具本体１０と、照明器具本体１０の先端部が進退可能に挿入された筒状のカバー部材２０とを備え、カバー部材２０は、光源１２に対向するように配置されたレンズ部２５を備え、レンズ部２５よりも先端側にペットボトル４０の口部が螺合可能な装着部２３を備える携帯用照明器具１である。【選択図】  図２
0003223037.tif 000002
【実用新案登録請求の範囲】
【請求項１】
先端部に光源を有するロッド状の照明器具本体と、
前記照明器具本体の先端部が進退可能に挿入された筒状のカバー部材とを備え、
前記カバー部材は、前記光源に対向するように配置されたレンズ部を備え、前記レンズ部よりも先端側にペットボトルの口部が螺合可能な装着部を備える携帯用照明器具。
【請求項２】
前記カバー部材は、前記レンズ部よりも基端側が透明または半透明に形成されている請求項１に記載の携帯用照明器具。
【考案の詳細な説明】
【技術分野】
【０００１】
本考案は、携帯用照明器具に関する。
【背景技術】
【０００２】
従来の携帯用照明器具として、市販のペットボトルを利用して照明を行うことができる構成が知られている。例えば、特許文献１に開示された照明付きボトルキャップは、ペットボトルの口部に取り付けられる下部キャップ部材と、発光ダイオードを有する上部キャップ部材とを備えており、発光ダイオードからペットボトルを介して照明することができる。
【先行技術文献】
【特許文献】
【０００３】
【特許文献１】登録実用新案第３１４４９１０号公報
【考案の概要】
【考案が解決しようとする課題】
【０００４】
上記従来の照明付きボトルキャップは、ペットボトルに取り付けることで、ペットボトルの形状に応じた照明を行うことができるが、ペットボトルに対する発光ダイオードの位置が固定されるため、光の演出性を高める上で更に改良の余地があった。
【０００５】
そこで、本考案は、照明による演出効果を高めることができる携帯用照明器具の提供を目的とする。
【課題を解決するための手段】
【０００６】
本考案の前記目的は、先端部に光源を有するロッド状の照明器具本体と、前記照明器具本体の先端部が進退可能に挿入された筒状のカバー部材とを備え、前記カバー部材は、前記光源に対向するように配置されたレンズ部を備え、前記レンズ部よりも先端側にペットボトルの口部が螺合可能な装着部を備える携帯用照明器具により達成される。
【０００７】
この携帯用照明器具において、前記カバー部材は、前記レンズ部よりも基端側が透明または半透明に形成されていることが好ましい。
【考案の効果】
【０００８】
本考案によれば、照明による演出効果を高めることができる携帯用照明器具を提供することができる。
【図面の簡単な説明】
【０００９】
【図１】本考案の一実施形態に係る携帯用照明器具の縦断面図である。
【図２】図１に示す携帯用照明器具の使用状態を説明するための縦断面図である。
【考案を実施するための形態】
【００１０】
以下、本考案の一実施形態について添付図面を参照しつつ説明する。図１は、本考案の一実施形態に係る携帯用照明器具の縦断面図である。図１に示すように、携帯用照明器具１は、ロッド状の照明器具本体１０と、照明器具本体１０の先端部が進退可能に挿入された筒状のカバー部材２０とを備えている。
【００１１】
照明器具本体１０は、金属材料等からなる筒状のケーシング１１を備えており、ケーシング１１の内部に電池３０を収容することができる。ケーシング１１の先端部は、段部を介して若干拡径されており、中央に発光ダイオード等からなる光源１２が設けられている。拡径部の外周面にはＯリング１５が装着されている。
【００１２】
ケーシング１１の基端側の内周面には、ケーシング１１の外径よりも大径の頭部１３が着脱可能に螺合される。頭部１３は、操作ボタン１４ａを有するスイッチ部１４を備えており、操作ボタン１４ａの押圧により、電池３０から光源１２への通電のオンオフを切り替えることができる。頭部１３には、ストラップ１６が取り付けられている。
【００１３】
カバー部材２０は、光透過性を有する合成樹脂等からなる透明または半透明の筒状部２１と、筒状部２１の外周面に着脱可能に螺合される笠部２２とを備えている。筒状部２１には、照明器具本体１０のケーシング１１が進退可能に挿入されており、ケーシング１１に設けられたＯリング１５が筒状部２１の内周面を摺動する。
【００１４】
笠部２２は、金属材料等からなり、先端側に向けて広がるテーパ部２２ａを有している。笠部２２の内周面には、市販のペットボトル４０の口部が螺合可能なネジ溝からなる装着部２３が形成されている。
【００１５】
笠部２２の内周面におけるテーパ部２２ａの基端部には、リング状の受け部２２ｂが設けられている。筒状部２１の先端と受け部２２ｂとの間には、リング状のパッキン２４を介して、半球状に形成されたレンズ部２５の鍔部２５ａが挟持されている。レンズ部２５は、平面側が光源１２に対向し、凸側が笠部２２の内部に臨むように配置されている。
【００１６】
上記の構成を備える携帯用照明器具１は、図１に示すように照明器具本体１０の大部分をカバー部材２０の内部に収容することにより、コンパクトな照明器具として使用することが可能であり、携帯性や利便性を高めることができる。また、テーブル等に載置した市販のペットボトル４０の口部に装着することで、光源１２からの光をレンズ部２５で拡散させてペットボトル４０の内部に照射することが可能であり、従来のペットボトルライトと同様に使用することができる。
【００１７】
更に、本実施形態の携帯用照明器具１は、図２に示すように、ペットボトル４０をカバー部材２０に装着した状態で、照明器具本体１０をカバー部材２０から基端側（矢示方向）に引き出すことが可能であり、ケーシング１１の先端側段部が筒状部２１の開口縁部に係止されるまで、光源１２からレンズ部２５までの距離を変化させて、図１の場合とは異なる照明の演出を楽しむことができる。カバー部材２０からの照明器具本体１０の引き出し量は、筒状部２１とＯリング１５との間に生じる摩擦力によって所望の値に保持することが可能であり、所望の照明演出効果が得られるように、照明器具本体１０の引き出し量を調整することができる。
【００１８】
また、カバー部材２０において、レンズ部２５よりも基端側となる筒状部２１が透明または半透明に形成されているので、図２に示す状態で光源１２から照射された光は、ペットボトル４０の内部に放出されるだけでなく、筒状部２１の側壁を介して外部に放出されるため、従来とは異なる照明演出を行うことができる。ペットボトル４０は、机などに載置して使用するだけでなく、ストラップ１６を利用して適宜の場所に吊り下げ支持することもできる。
【００１９】
Ｏリング１５およびパッキン２４は、照明器具本体１０の引き出しに伴って広がる筒状部２１の内部空間を液密に封止して、光源１２を水分等から保護する一方、気体の若干の流通は許容することにより、照明器具本体１０をカバー部材２０に対してスムーズに進退させることができる。
【符号の説明】
【００２０】
１  携帯用照明器具
１０  照明器具本体
１２  光源
２０  カバー部材
２１  筒状部
２３  装着部
２５  レンズ部
４０  ペットボトル
【図１】
0003223037.tif 000003
【図２】
0003223037.tif 000004